(57)【要約】【課題】ＤＥに搭載される複数のＨＤＤのうち、いずれかが異常に陥った場合でも、低コストで、ＤＥ内全体がダウンすることを防止すること。【解決手段】本発明にかかるＲＡＩＤシステムは、ＤＥ１００に搭載されるＨＤＤ１２０〜１２９を複数のグループに分割し、電源遮断回路２００〜２３０が、分割されたグループごとに電源の供給・中止を行う。また、ＲＡＩＤシステムは、単一のグループ内に含まれるＨＤＤでＲＡＩＤを構成するのではなく、複数のグループに含まれる各ＨＤＤをまたぐようにしてＲＡＩＤを構成する。【選択図】        図１
2007188421.tif 000002
【特許請求の範囲】
【請求項１】
ＲＡＩＤ（Redundant Array of Inexpensive Disks）グループを構成する記録装置に対する電源供給を制御する電源供給制御装置であって、
第１のＲＡＩＤグループに属する記録装置と、当該第１のＲＡＩＤグループとは異なる記録装置によって構成される第２のＲＡＩＤグループに属する記録装置に電源を供給するよう構成された電源供給グループごとに電源を供給する電源供給手段と、
前記記録装置が異常に陥った場合に、異常な記録装置を含む前記電源供給グループに対する電源供給を中止する電源供給制御手段と、
を備えたことを特徴とする電源供給制御装置。
【請求項２】
前記電源供給グループは複数存在し、前記電源供給制御手段は、前記記録装置が異常に陥った場合に、異常な記録装置を含む電源供給グループに対する電源供給を中止し、異常な記録装置を含まない電源供給グループに対する電源供給を継続させることを特徴とする請求項１に記載の電源供給制御装置。
【請求項３】
前記電源供給グループは、各ＲＡＩＤグループに含まれる記録装置を少なくとも１台ずつ含んでいることを特徴とする請求項１または２に記載の電源供給制御装置。
【請求項４】
ＲＡＩＤ（Redundant Array of Inexpensive Disks）グループを構成する記録装置に対する電源供給を制御する電源供給制御方法であって、
第１のＲＡＩＤグループに属する記録装置と、当該第１のＲＡＩＤグループとは異なる記録装置によって構成される第２のＲＡＩＤグループに属する記録装置に電源を供給するよう構成された電源供給グループごとに電源を供給する電源供給工程と、
前記記録装置が異常に陥った場合に、異常な記録装置を含む前記電源供給グループに対する電源供給を中止する電源供給制御工程と、
を含んだことを特徴とする電源供給制御方法。
【請求項５】
前記電源供給グループは、各ＲＡＩＤグループに含まれる記録装置を少なくとも１台ずつ含んでいることを特徴とする請求項４に記載の電源供給制御方法。
【発明の詳細な説明】
【技術分野】
【０００１】
この発明は、ＲＡＩＤ（Redundant Array of Inexpensive Disks）グループを構成する複数の記録装置に対する電源供給を制御する電源供給制御装置および電源供給制御方法に関し、特に、ＲＡＩＤグループに含まれるＨＤＤが故障した場合でも、低コストでシステムダウンを防止する電源供給制御装置および電源供給制御方法に関するものである。
【背景技術】
【０００２】
複数のＨＤＤ（Hard Disk Drive）が搭載されるＤＥ（Device Enclosure）には、電源ユニットが接続され、ＨＤＤの動作に必要な電源を供給する。この電源ユニットは、ＨＤＤの異常発生時（ショートや過電流などの発生時）に、自己シャットダウンできるような保護回路が内蔵されていることが一般的である。図３は、従来のＤＥに格納されるＨＤＤと電源ユニットとの構成を示す図である。同図に示すように、ＤＥ１０は、ＨＤＤ＃０〜ｎ（ｎは自然数）を格納しており、電源ユニット２０，３０は、各ＨＤＤ＃０〜ｎに電源を供給している。また、ＨＤＤ＃０〜ｎは、冗長性を補償するために、互いに結合して、ＲＡＩＤ（Redundant Array of Inexpensive Disks）を構成する。
【０００３】
しかし、ＤＥ１０に搭載された複数のＨＤＤ＃０〜ｎのうち、ある一つのＨＤＤ（例えば、ＨＤＤ＃４）に異常が発生すると、それまで、ＨＤＤ＃０〜ｎに電源を供給していた電源ユニット２０，３０が自己シャットダウンしてしまうという問題があった。すなわち、図３に示すように、ＤＥ１０内の電源供給系統は、ＨＤＤ全てに共通であるため、故障したＨＤＤ＃４だけでなく、他の正常なＨＤＤへの電源供給も中止されてしまい、他ボリュームを含めたＤＥ１０全体がダウンしてしまう。特に、ＤＥ１０のみで構成されるような小規模のＲＡＩＤシステムでは、ＤＥ１０全体のダウンが即システムダウン、データロストに至る恐れが大きく、信頼性の面で大きな問題がある。
【０００４】
そこで、上述した問題を解決すべく、電源を遮断する電源遮断回路をＤＥのスロット（ＨＤＤの差込口）ごとに設置する方法が提案されている。図４は、電源遮断回路をＤＥのスロットごとに設けた構成を示す図である。同図に示すように、電源遮断回路５０〜６５が、ＤＥ４０の各スロットに接続されているので、いずれかのＨＤＤが異常発生した場合でも、該当する電源遮断回路が故障したＨＤＤの電源供給のみを遮断することができ、ＤＥ４０全体がダウンしてしまうといった問題を解決することができる。
【０００５】
たとえば、図４において、ＨＤＤ＃３に異常が発生した場合には、電源遮断回路５３が、ＨＤＤ＃３への電源供給を遮断するが、他のＨＤＤへの電源供給は引き続き継続されるので、ＤＥ４０全体がダウンしてしまうことはない。
【０００６】
なお、特許文献１では、マザーボードに収納される複数のＨＤＤを搭載した筐体ごとに単一の高電圧を供給することによって、マザーボードに複数種類のＨＤＤを搭載可能とする技術が公開されている。
【０００７】
【特許文献１】特開２００５−１９００５２号公報
【発明の開示】
【発明が解決しようとする課題】
【０００８】
しかし、図４に示すように、電源遮断回路をＤＥの各スロットに接続した場合には、多くの電源遮断回路が無駄になってしまうという問題があった。なぜなら、ＤＥ内部がＨＤＤを搭載する数は装置構成によってまちまちであり、装置構成によっては、ＤＥに組み込まれるＨＤＤの数が少ない（ＤＥが備えるスロットに比べて少ない）場合があるからである。図４に示す例では、ＤＥ４０は、ＨＤＤ＃０〜＃５しか搭載していないため、電源遮断回路５６〜６５が無駄になっている。
【０００９】
なお、電源ユニット内部にＨＤＤごとの電源遮断回路を組み込み、各ＨＤＤに対する電源供給を制御することも考えられるが、電源ユニットの大型化、複雑化を招くとともに、コスト面でも不利であるため、現実的ではない。
【００１０】
この発明は、上述した従来技術による問題点を解消するためになされたものであり、ＤＥに搭載される複数のＨＤＤのうち、いずれかが異常に陥った場合でも、低コストで、ＤＥ内全体がダウンすることを防止可能な、電源供給制御装置および電源供給制御方法を提供することを目的とする。
【課題を解決するための手段】
【００１１】
上述した課題を解決し、目的を達成するため、本発明は、ＲＡＩＤ（Redundant Array of Inexpensive Disks）グループを構成する複数の記録装置に対する電源供給を制御する電源供給制御装置であって、前記複数の記録装置によって構成されるＲＡＩＤグループと異なる記録装置のグループ構成となる電源供給グループごとに電源を供給する電源供給手段と、記録装置が異常に陥った場合に、異常な記録装置を含む前記電源供給グループに対する電源供給を中止する電源供給制御手段と、を備えたことを特徴とする。
【００１２】
また、本発明は、上記発明において、前記電源供給グループは複数存在し、前記電源供給制御手段は、記録装置が異常に陥った場合に、異常な記録装置を含む電源供給グループに対する電源供給を中止し、異常な記録装置を含まない電源供給グループに対する電源供給を継続させることを特徴とする。
【００１３】
また、本発明は、上記発明において、前記電源供給グループは、ある一つのＲＡＩＤグループを構成する記憶装置が２台以上属さぬように設定されていることを特徴とする。
【００１４】
また、本発明は、ＲＡＩＤ（Redundant Array of Inexpensive Disks）グループを構成する記録装置に対する電源供給を制御する電源供給制御方法であって、第１のＲＡＩＤグループに属する記録装置と、当該第１のＲＡＩＤグループとは異なる記録装置によって構成される第２のＲＡＩＤグループに属する記録装置に電源を供給するよう構成された電源供給グループごとに電源を供給する電源供給工程と、前記記録装置が異常に陥った場合に、異常な記録装置を含む前記電源供給グループに対する電源供給を中止する電源供給制御工程と、を含んだことを特徴とする。
【００１５】
また、本発明は、上記発明において、前記電源供給グループは、ある一つのＲＡＩＤグループを構成する記憶装置が２台以上属さぬように設定されていることを特徴とする。
【発明の効果】
【００１６】
本発明によれば、複数の記録装置によって構成されるＲＡＩＤグループと異なる記録装置のグループ構成となる電源供給グループごとに電源を供給し、記録装置が電源ショートや過電流などの電源異常を引き起こした場合に、異常な記録装置を含む電源供給グループに対する電源供給を中止するので、他の電源供給グループに属する記憶装置の共倒れを防止でき、ＲＡＩＤグループを含むシステム全体がダウンしてしまう問題を解消することができる。
【００１７】
また、本発明によれば、電源供給グループは複数存在し、記録装置が異常に陥った場合に、異常な記録装置を含む電源供給グループに対する電源供給を中止し、異常な記録装置を含まない電源供給グループに対する電源供給を継続させるので、電源制御回路の規模を縮小でき、個々のＨＤＤごとに電源供給・遮断回路を持たせる方法と比べてコストを大幅に削減することができる。
【００１８】
また、本発明によれば、一つのＲＡＩＤグループを構成する個々の記録装置は、そのＲＡＩＤグループとは異なる電源供給グループに属しているので、いずれかの電源供給グループに対する電源供給が中止されても、それ以外のグループに属する記録装置間でＲＡＩＤを維持することができ、電源供給が中止されたグループを補って、記録装置全体に対するアクセスを継続することができる。
【発明を実施するための最良の形態】
【００１９】
以下に添付図面を参照して、この発明に係る電源供給制御装置および電源供給制御方法の好適な実施の形態を詳細に説明する。
【実施例】
【００２０】
まず、本発明の特徴について説明する。本発明では、ＤＥ（Device Enclosure）に格納されるＨＤＤ（Hard Disk Drive）を複数のグループに分割し、分割したグループごとに電源の供給・中止を行う。また、本発明では、単一のグループ内でＲＡＩＤ（Redundant Array of Inexpensive Disks）を構成するのではなく、複数のグループに含まれる各ＨＤＤをまたぐようにしてＲＡＩＤを構成する（すなわち、電源供給・中止にかかるグループとＲＡＩＤグループとを別々に構成する）。
【００２１】
このように、本発明では、ＤＥに格納されるＨＤＤを複数のグループに分割して電源供給を行うとともに、分割したグループに含まれるＨＤＤをまたぐようにＲＡＩＤを構成するので、ＤＥ内に含まれるいずれかのＨＤＤが異常に陥った場合であっても、ＤＥ内に設定された他グループに属するＨＤＤに対するアクセスを継続させられる。また、電源供給・中止を、グループごとに行うので、電源遮断回路の個数を減らすことができ、個々のＨＤＤごとに電源供給・遮断回路を持たせる方法と比べてコストを大幅に削減することができる。
【００２２】
次に、本実施例にかかるＲＡＩＤシステムの構成について説明する。図１は、本実施例にかかるＲＡＩＤシステムの構成を示すブロック図である。同図に示すように、このＲＡＩＤシステムは、ＤＥ１００と、電源遮断回路２００〜２３０と、電源ユニット３００，３１０とを備えて構成される。
【００２３】
このうち、ＤＥ１００は、複数のＨＤＤを格納するモジュール（筐体）であり、このＨＤＤを接続するためのスロット１０１〜１１６を有する。ＨＤＤをＤＥ１００が備えるスロットに接続することによって、ＨＤＤは電源ユニット３００，３１０から電源供給を受けることができる。
【００２４】
図１に示す例では、ＤＥ１００のスロット１０１〜１０４には、ＨＤＤ１２０〜１２３がそれぞれ接続され、スロット１０７〜１１２には、ＨＤＤ１２４〜１２９が接続されている。また、ＨＤＤ１２０〜１２３は、ＲＡＩＤグループＡを構成し、ＨＤＤ１２４，１２５は、ＲＡＩＤグループＢを構成し、ＨＤＤ１２６〜１２９は、ＲＡＩＤグループＣを構成している。なお、図示しないが、ＤＥ１００はホストコンピュータに接続されており、ホストコンピュータからのリクエストに応答して、データのライト・リードを行う。
【００２５】
電源遮断回路２００〜２３０は、電源供給先のスロットに接続されたＨＤＤが電源ショートや過電流などの異常に陥った場合に、この電源遮断回路に接続されたスロットに対する電源供給を中止する装置である。図１に示すように、電源遮断回路２００は、スロット１０１，１０５，１０９，１１３に接続され、電源遮断回路２１０は、スロット１０２，１０６，１１０，１１４に接続され、電源遮断回路２２０は、スロット１０３，１０７，１１１，１１５に接続され、電源遮断回路２３０は、スロット１０４，１０８，１１２，１１６に接続されている。
【００２６】
このように、電源遮断回路２００〜２３０は、各ＲＡＩＤグループＡ，Ｂ，Ｃをまたいで電源供給をグループごとに行う（ただし、ＲＡＩＤグループと電源供給を行うグループとは異なる）ので、いずれかのＨＤＤが電源ショートや過電流などの異常に陥り、そのＨＤＤが属するグループに対する電源供給が中止されても、ＤＥ１００が有するＲＡＩＤグループＡ，Ｂ，Ｃへのアクセスは継続することができる。
【００２７】
例えば、ＨＤＤ１２１に異常が発生した場合には、電源遮断回路２１０が、ＨＤＤ１２１の異常を検知し、スロット１０２，１０６，１１０，１１４に対する電源供給を中止することになるが、この異常によってシャットダウンされるＨＤＤは、ＨＤＤ１２１，１２７のみであり、ＲＡＩＤグループＡ，Ｃは、ＨＤＤが１台欠けた状態でアクセス可能、ＲＡＩＤグループＢは、ＨＤＤ１２１の異常とは無関係に動作を継続することができる。
【００２８】
電源ユニット３００，３１０は、電源遮断回路２００〜２３０を介して、スロット１０１〜１１６に電源を供給する装置である。
【００２９】
上述してきたように、本実施例にかかるＲＡＩＤシステムは、ＤＥ１００に搭載されるＨＤＤ１２０〜１２９を複数のグループに分割し、電源遮断回路２００〜２３０が、分割されたグループごとに電源の供給・中止を行う。一方、ＲＡＩＤシステムは、単一の電源供給グループに属するＨＤＤでＲＡＩＤを構成するのではなく、複数の電源供給グループに含まれる各ＨＤＤをまたぐようにしてＲＡＩＤを構成するので、ＤＥ１００内に含まれるいずれかのＨＤＤが故障した場合であっても、ＤＥ１００内に設定されたＲＡＩＤに対するアクセスを可能にする。
【００３０】
また、電源遮断回路２００〜２３０は、電源供給・中止を、グループごとに行うので、電源遮断回路の個数を減らすことができ、個々のＨＤＤごとに電源供給・遮断回路を持たせる方法と比べてコストを大幅に削減することができる。
【００３１】
なお、図１では、ＤＥが１台だけで構成されるＲＡＩＤシステムを例にして説明を行ったが、本発明は、ＤＥが１台だけで構成されるシステムに限らず、様々な構成のＲＡＩＤシステムに応用することができる。図２は、本発明の応用例を示す図である。同図に示すように、各電源遮断回路は、ＲＡＩＤグループＡ〜Ｆをまたぐようにして接続されており、いずれかのＨＤＤに異常が発生した場合であっても、各ＤＥに構成されたＲＡＩＤに対するアクセスを可能にする。
【００３２】
（付記１）ＲＡＩＤ（Redundant Array of Inexpensive Disks）グループを構成する記録装置に対する電源供給を制御する電源供給制御装置であって、
第１のＲＡＩＤグループに属する記録装置と、当該第１のＲＡＩＤグループとは異なる記録装置によって構成される第２のＲＡＩＤグループに属する記録装置に電源を供給するよう構成された電源供給グループごとに電源を供給する電源供給手段と、
前記記録装置が異常に陥った場合に、異常な記録装置を含む前記電源供給グループに対する電源供給を中止する電源供給制御手段と、
を備えたことを特徴とする電源供給制御装置。
【００３３】
（付記２）前記電源供給グループは複数存在し、前記電源供給制御手段は、前記記録装置が異常に陥った場合に、異常な記録装置を含む電源供給グループに対する電源供給を中止し、異常な記録装置を含まない電源供給グループに対する電源供給を継続させることを特徴とする付記１に記載の電源供給制御装置。
【００３４】
（付記３）前記電源供給グループは、各ＲＡＩＤグループに含まれる記録装置を少なくとも１台ずつ含んでいることを特徴とする付記１または２に記載の電源供給制御装置。
【００３５】
（付記４）ＲＡＩＤ（Redundant Array of Inexpensive Disks）グループを構成する記録装置に対する電源供給を制御する電源供給制御方法であって、
第１のＲＡＩＤグループに属する記録装置と、当該第１のＲＡＩＤグループとは異なる記録装置によって構成される第２のＲＡＩＤグループに属する記録装置に電源を供給するよう構成された電源供給グループごとに電源を供給する電源供給工程と、
前記記録装置が異常に陥った場合に、異常な記録装置を含む前記電源供給グループに対する電源供給を中止する電源供給制御工程と、
を含んだことを特徴とする電源供給制御方法。
【００３６】
（付記５）前記電源供給グループは複数存在し、前記電源供給制御工程は、前記記録装置が異常に陥った場合に、異常な記録装置を含む電源供給グループに対する電源供給を中止し、異常な記録装置を含まない電源供給グループに対する電源供給を継続させることを特徴とする付記４に記載の電源供給制御方法。
【００３７】
（付記６）前記電源供給グループは、各ＲＡＩＤグループに含まれる記録装置を少なくとも１台ずつ含んでいることを特徴とする付記４または５に記載の電源供給制御方法。
【産業上の利用可能性】
【００３８】
以上のように、本発明にかかる電源供給制御装置および電源供給制御方法は、ある一つの記憶装置で発生した電源ショート・過電流などによる電源異常により、他の記憶装置の共倒れによるシステムダウンを低コストで防止する必要のあるＲＡＩＤシステムなどに対して有用である。
【図面の簡単な説明】
【００３９】
【図１】本実施例にかかるＲＡＩＤシステムの構成を示すブロック図である。
【図２】本発明の応用例を示す図である。
【図３】従来のＤＥに格納されるＨＤＤと電源ユニットとの構成を示す図である。
【図４】電源遮断回路をＤＥのスロットごとに設けた構成を示す図である。
【符号の説明】
【００４０】
１０，４０，１００    ＤＥ
２０，３０，３００，３１０    電源供給ユニット
５０，５１，５２，５３，５４，５５，５６，５７，５８，５９，６０，６１，６２，６３，６４，６５    電源遮断回路
１０１，１０２，１０３，１０４，１０５，１０６，１０７，１０８，１０９，１１０，１１１，１１２，１１３，１１４，１１５，１１６    スロット
１２０，１２１，１２２，１２３，１２４，１２５，１２６，１２７，１２８，１２９    ＨＤＤ
【図１】
2007188421.tif 000003
【図２】
2007188421.tif 000004
【図３】
2007188421.tif 000005
【図４】
2007188421.tif 000006